(57)【要約】【課題】  フレームの伝送過程において無線情報チャネルＲＩＣＨに誤りが生じた場合であっても、フレームの種別（同期バースト用／通信チャネル用）や通信チャネル用フレーム中の通信チャネルＴＣＨ部のデータ形式等を識別可能にし、適切なデコード処理を選択して実行できるようにする。【解決手段】  受信したフレームの無線情報チャネルＲＩＣＨに誤りが生じた場合に、パラメータ情報チャネルＰＩＣＨの誤り検出処理を実行し、誤りを検出しなかった場合は同期バースト用、誤りを検出した場合は通信チャネル用と判定する。また、通信チャネル用フレームの無線情報チャネルＲＩＣＨに誤りが生じた場合に、先行して受信した同期バースト用フレームのパラメータ情報チャネルＰＩＣＨに格納された通信モード補助情報を用いて、通信チャネル用フレームの通信チャネルＴＣＨのデータ形式を判別する。【選択図】  図３
2008148116.tif 000002
【特許請求の範囲】
【請求項１】
フレーム情報を格納する第１領域とパラメータ情報又は通信情報を格納する第２領域とを有するフレームを用いた通信方式において、
フレーム情報及びパラメータ情報は誤り検出可能な情報であり、
自己のフレームの種別が第２領域にパラメータ情報を格納した同期バースト用又は第２領域に通信情報を格納した通信チャネル用のいずれであるかを識別する情報をフレーム情報に保持しており、
フレームを受信した無線局が、
当該フレームの第１領域に対して誤り検出処理を実行し、
第１領域に誤りを検出しなかった場合は、当該フレームの種別を当該第１領域に格納されたフレーム情報により識別し、
第１領域に誤りを検出した場合は、当該フレームの第２領域に対して誤り検出処理を実行し、第２領域に誤りを検出しなかった場合は、当該フレームの種別を同期バースト用と識別し、第２領域に誤りを検出した場合は、当該フレームの種別を通信チャネル用と識別することを特徴とする通信方式。
【請求項２】
請求項１に記載の通信方式において、
通信チャネル用のフレームは当該フレーム中の通信情報のデータ形式を識別する情報をフレーム情報に保持し、
同期バースト用のフレームは当該フレームに後続する通信チャネル用のフレーム中の通信情報のデータ形式を識別する情報をパラメータ情報に保持しており、
受信したフレームの種別を通信チャネル用と識別した無線局は、
第１領域に誤りを検出しなかった場合は、当該フレーム中の通信情報のデータ形式を当該第１領域に格納されたフレーム情報により識別し、
第１領域に誤りを検出した場合は、当該フレーム中の通信情報のデータ形式を当該フレームに先行して受信した同期バースト用のフレームの第２領域に格納されたパラメータ情報により識別することを特徴とする通信方式。
【発明の詳細な説明】
【技術分野】
【０００１】
本発明は、デジタル移動無線通信システムにおいて、音声やデータなどの情報を正確に伝送するための技術に関係する。
【背景技術】
【０００２】
現在規格化が検討されている４値ＦＳＫ（Frequency Shift Keying）変調方式の簡易無線規格では、図７に示すように、送信側の無線局から受信側の無線局に、送信開始時（プレスＯＮ時）にシンボル同期のためのプリアンブルが送出された後、フレーム同期情報及び制御情報を含んだ同期バースト、制御情報及び音声チャネル、データを含んだ通信チャネルという順番でフレームが転送され、通話終了時（プレスＯＦＦ時）に“終話”という情報を制御情報中に持たせた通信チャネルが転送されるという通信プロトコルを持つ。
【０００３】
同期バースト用及び通信チャネル用のフレームは図８に示すような構成となっており、フレーム同期を取るための２０ビットの同期ワードＳＷ、フレームの情報を含んだ１６ビットの無線情報チャネルＲＩＣＨ（Radio Information Channel）、低速データ伝送のための６０ビットの低速付随制御チャネルＳＡＣＣＨ（Slow Associated Control Channel）が両フレームの同じタイミングの位置に配置され、各ＳＷは同一のものとなっている。
また、同期バーストのフレームは、無線機固有の情報を含む１４４ビットのパラメータ情報チャネルＰＩＣＨ（Parameter Information Channel）を有し、通信チャネルのフレームは、音声やデータを含む１４４ビットの通信チャネルＴＣＨ（Traffic Channel）を２つ有しており、パラメータ情報チャネルＰＩＣＨと前半の通信チャネルＴＣＨとは両フレームの同じタイミングの位置に配置されている。
【０００４】
無線情報チャネルＲＩＣＨにより伝送されるＲＩＣＨ情報は、図９（ａ）に示すように７ビットで構成されており、６ビット目にフレームの種別が同期バースト用又は通信チャネル用のいずれであるかを示す無線チャネル構造識別情報Ｆ、４ビット目に低速付随制御チャネルＳＡＣＣＨの種別が後述する１ｓｔ又は２ｎｄのいずれであるかを示す機能チャネル識別情報Ｌ、１〜３ビット目に通信チャネルＴＣＨのデータ内容を示す通信モード識別情報Ｍ、０ビット目に動作モードを示す動作モード識別情報Ｄ、が割り当てられている。なお、各ビット値が表す意味は、無線チャネル構造識別情報Ｆは図９（ｂ）に、機能チャネル識別情報Ｌは同図（ｃ）に、通信モード識別情報Ｍは同図（ｄ）に、動作モード識別情報Ｄは同図（ｅ）に示してある。
【０００５】
ＲＩＣＨ情報は、送信側の無線局により、図１０に示すようなエンコード処理を実行して誤り検出可能なデータ形式とした後に送信される。
具体的には、７ビットのＲＩＣＨ情報に１ビットのパリティビットを付加して８ビットとし、これを１ビット単位に分解し、当該分解した各ビットをダイビット（２ビット）に変換し、各ダイビット値を再結合することでＲＩＣＨ情報のエンコード値（１６ビット）を取得する。なお、ダイビット変換は、同図中に示すようにビット値“０”を“０１”、ビット値“１”を“１１”に変換することにより行う。
【０００６】
低速付随制御チャネルＳＡＣＣＨにより伝送されるＳＡＣＣＨ情報は、送信側の無線局により、図１１に示すようなエンコード処理を実行して誤り検出可能なデータ形式とした後に送信される。
具体的には、まず、ＳＡＣＣＨ情報（メッセージ情報）を４４ビット単位に分割し、それぞれの先頭に８ビットのヘッダ情報Ｍを付加して５２ビットのユニットととし、当該ユニットを更に２６ビット単位に分割する。これにより、ヘッダ情報とＳＡＣＣＨ情報とを含む１ｓｔＳＡＣＣＨユニットと、ＳＡＣＣＨ情報のみを含む２ｎｄＳＡＣＣＨユニットの２種類のＳＡＣＣＨユニットが作成される。そして、各ＳＡＣＣＨユニットに６ビットのＣＲＣ（Cyclic Redundancy Code）を付加して３２ビットとし、更に４ビットの固定ビット（全て０）を付加してから畳み込み符号化してパンクチャド処理することで６０ビットとし、これを１２ビット単位に５つに分割してインタリーブ処理を行うことでＳＡＣＣＨユニットのエンコード値（６０ビット）を取得する。
例えば、ＳＡＣＣＨ情報が２つのユニットに分割された場合は、最初のフレームで１ユニット目の１ｓｔＳＡＣＣＨユニットを送信し、次のフレームで同ユニットの２ｎｄＳＡＣＣＨユニットを送信し、以降のフレームで同様に２ユニット目の１ｓｔＳＡＣＣＨユニット、２ｎｄＳＡＣＣＨユニットの順に送信する。
【０００７】
フレームを受信した無線局は、シンボル及びフレーム同期を取った後、図１２に示すフローチャートに従って、デコード処理を行う。なお、本来はデコード処理にデホワイトニング処理及びデスクランブル処理を行った後、各チャネル処理を行うが、その説明は割愛する。
【０００８】
デコード処理としては、まず、ＲＩＣＨデコード処理（ステップＳ７０１）を行う。
ＲＩＣＨデコード処理（ステップＳ７０１）では、図１３に詳細を示すように、無線情報チャネルＲＩＣＨ部のデータ（ＲＩＣＨ情報のエンコード値）に対して、まずダイビット変換処理を行う（ステップＳ７０１１）。当該処理は、２ビット単位の各ダイビットを、図１０に示すように、ダイビット値“０１”又は“００”を“０”、ダイビット値“１０”又は“１１”を“１”に変換することにより行う。その後、復号されたＲＩＣＨ情報のパリティをチェックするパリティチェック処理を行い（ステップＳ７０１２）、パリティ誤りの有無を判定する（ステップＳ７０１３）。パリティ誤りが有る場合は、“ＲＩＣＨ誤り有”を示す情報をメモリに設定し（ステップＳ７０１４）、ＲＩＣＨデコード処理を終了する。一方、パリティ誤りがない場合は、“ＲＩＣＨ誤り無”を示す情報をメモリに設定し（ステップＳ７０１５）、ＲＩＣＨ情報から無線チャネル構造識別情報Ｆ、機能チャネル識別情報Ｌ、通信モード識別情報Ｍ、動作モード識別情報Ｄをそれぞれ抜き出し（ステップＳ７０１６）、ＲＩＣＨデコード処理を終了する。
【０００９】
そして、ＲＩＣＨデコード処理（ステップＳ７０１）した結果、ＲＩＣＨ情報に誤りが有ったかを確認し（ステップＳ７０２）、ＲＩＣＨ情報に誤りが有った場合はデコード処理を終了、ＲＩＣＨ情報に誤りが無かった場合はＳＡＣＣＨデコード処理（ステップＳ７０３）を実行する。
【００１０】
ＳＡＣＣＨデコード処理（ステップＳ７０３）では、図１４に詳細を示すように、低速付随制御チャネルＳＡＣＣＨ部のデータ（ＳＡＣＣＨユニットのエンコード値）に対して、データの並び替えを戻すデインタリーブ処理（ステップＳ７０３１）、エンコード時に抜き出したビット位置にダミービットを挿入するデパンクチャ処理（ステップＳ７０３２）、ビタビ復号による誤り訂正を行うビタビ復号処理（ステップＳ７０３３）、を順番に行う。その後、復号されたＳＡＣＣＨユニットのＣＲＣをチェックするＣＲＣ復号処理を行い（ステップＳ７０３４）、ＣＲＣ誤りの有無を判定する（ステップＳ７０３５）。ＣＲＣ誤りが有る場合は、ＳＡＣＣＨデコード処理を終了する。一方、ＣＲＣ誤りが無い場合は、“ＳＡＣＣＨ誤り無”を示す情報をメモリに設定し（ステップＳ７０３６）、ＲＩＣＨデコード処理で取得した機能チャネル識別情報Ｌを参照して、ＳＡＣＣＨユニットの種別が１ｓｔ又は２ｎｄのいずれかを判定し（ステップＳ７０３７）、１ｓｔの場合（機能チャネル識別情報Ｌ＝“１”）はヘッダ情報とＳＡＣＣＨ情報とを抜き出し（ステップＳ７０３８）、２ｎｄの場合（機能チャネル識別情報Ｌ＝“２”）はＳＡＣＣＨ情報を抜き出し（ステップＳ７０３９）、ＳＡＣＣＨデコード処理を終了する。
【００１１】
ＳＡＣＣＨデコード処理（ステップＳ７０３）が終了すると、ＲＩＣＨデコード処理で取得した無線チャネル構造識別情報Ｆを参照して、フレームの種別が同期バースト用又は通信チャネル用のいずれであるかを判定し（ステップＳ７０４）、同期バースト用の場合（無線チャネル構造識別情報Ｆ＝“０”）は同期バーストデコード処理（ステップＳ７０５）を、通信チャネル用の場合（無線チャネル構造識別情報Ｆ＝“１”の場合）は通信チャネルデコード処理（ステップＳ７０６）を行う。
【００１２】
同期バーストデコード処理（ステップＳ７０５）では、図１５に詳細を示すように、パラメータ情報チャネルＰＩＣＨ部のデータ（ＰＩＣＨ情報のエンコード値）に対して、データの並び替えを戻すデインタリーブ処理（ステップＳ７０５１）、エンコード時に抜き出したビット位置にダミービットを挿入するデパンクチャ処理（ステップＳ７０５２）、ビタビ復号による誤り訂正を行うビタビ復号処理（ステップＳ７０５３）を順番に行う。その後、復号されたＰＩＣＨ情報のＣＲＣをチェックするＣＲＣ復号処理を行い（ステップＳ７０５４）、ＣＲＣ誤りの有無を判定する（ステップＳ７０５５）。ＣＲＣ誤りが有る場合は“ＰＩＣＨ誤り有”を示す情報をメモリに設定し（ステップＳ７０５６）、同期バーストデコード処理を終了する。一方、ＣＲＣ誤りが無い場合は、ＰＩＣＨ情報を抜き出して（ステップＳ５０５７）、同期バーストデコード処理を終了する。
【００１３】
通信チャネルデコード処理（ステップＳ７０６）では、図１６に詳細を示すように、ＲＩＣＨデコード処理で取得した通信モード識別情報Ｍを参照し（ステップＳ７０６１）、通信モード識別情報Ｍの値に応じた処理を行う。
通信モード識別情報Ｍが“０”（０００）の場合は、通信チャネルＴＣＨ部のデータを非音声１データとして抜き出す（ステップＳ７０６２）。通信モード識別情報Ｍが“１”（００１）の場合は、通信チャネルＴＣＨ部の前半のデータを非音声２データ、後半を音声として抜き出し（ステップＳ７０６３）、非音声２データの誤り訂正及び検出処理を行ってデータを復号する（ステップＳ７０６４）。通信モード識別情報Ｍが“２”（０１０）の場合は、通信チャネルＴＣＨ部の前半を音声、後半を非音声２データとして抜き出し（ステップＳ７０６５）、非音声２データの誤り訂正及び検出処理を行ってデータを復号する（ステップＳ７０６６）。通信モード識別情報Ｍが“３”（０１１）の場合は、通信チャネルＴＣＨ部のデータを音声データとして抜き出し処理を行う（ステップＳ７０６７）。通信モード識別情報Ｍが“４”（１００）の場合は、通信チャネルＴＣＨ部のデータを非音声２データとして抜き出し（ステップＳ７０６８）、非音声データ２の誤り訂正及び検出を行う（ステップＳ７０６９）。値がそれ以外の場合は、処理を行わず通信チャネルデコード処理を終了する。
【００１４】
なお、関連ある発明として、以下のような発明が提案されている。
例えば、無線通信の信号フォーマットを有効に利用してＧＰＳ位置情報を送信するデジタル無線通信システムに関する発明として、移動局の通信可能エリアを無線基地局により形成するデジタル無線通信システムにおいて、移動局が、ＧＰＳ位置情報をＧＰＳ部により取得して変換部により所定の形式に変換し、このＧＰＳ位置情報をフレーム生成部により同期バースト信号（ＳＢ０）のパラメータ情報チャネル（ＰＩＣＨ）の未定義ビットに載せ、通信部により無線送信する発明が提案されている（特許文献１参照。）。
また、例えば、ディジタル移動無線伝送システムに関して、伝送路の状態に適応した符号化・復号化方法を採用して伝送路誤りによる再生音声の劣化の度合いを平均的に軽減する発明として、規格で規定されていないＳＡＣＣＨの先頭２ビットが２スロット連続で“０”の場合に、伝送路の状態に適応した符号化方法の切替情報をＳＡＣＣＨの情報フィールドに入力して伝送する発明が提案されている（特許文献２参照。）。
【００１５】
【特許文献１】特開２００５−５１３５５号公報
【特許文献２】特開平９−２３２１２号公報
【発明の開示】
【発明が解決しようとする課題】
【００１６】
ここで、無線情報チャネルＲＩＣＨはフレームのデコード処理に必要な情報を持つ重要なチャネルであり、ダイビットの挿入などによってフレーム中の他のチャネルよりも誤りが起きにくくなっているが、移動通信においては、フェージングや低電界領域に相手局が存在する場合などに無線情報チャネルＲＩＣＨに誤りが発生する可能性がある。
無線情報チャネルＲＩＣＨに誤りが発生した場合、フレームの種別（同期バースト用／通信チャネル用）、通信チャネル用フレーム中の通信チャネルＴＣＨ部のデータ形式、低速制御情報チャネルＳＡＣＣＨ部の種別（１ｓｔ／２ｎｄ）、等を識別できなくなり、そのフレームのデータは利用不可能になってしまう。
【００１７】
本発明は、上記従来の事情に鑑みなされたものであり、フレームの伝送過程において無線情報チャネルＲＩＣＨに誤りが生じた場合であっても、フレームの種別や通信チャネル用フレーム中の通信チャネルＴＣＨ部のデータ形式等を識別可能にし、適切なデコード処理を選択して実行できるようにする技術を提供することを目的としている。
【課題を解決するための手段】
【００１８】
本発明では、無線情報チャネルＲＩＣＨに誤りが検出された場合、無線情報チャネルＲＩＣＨ部の情報に依存するフレーム種別（同期バースト用／通信チャネル用）、通信チャネル用フレームの通信チャネルＴＣＨ部のデータ形式、低速制御情報チャネルＳＡＣＣＨ部の種別（１ｓｔ／２ｎｄ）の識別をそれぞれ以下のようにして行う。
【００１９】
まず、フレーム種別の識別の手段としてパラメータ情報チャネルＰＩＣＨ部の誤り訂正検出処理を利用する。これは、パラメータ情報チャネルＰＩＣＨ部の誤り訂正処理は無線情報チャネルＲＩＣＨ部の誤り対策より強力なため、無線情報チャネルＲＩＣＨ部に誤りが生じた場合でもパラメータ情報チャネルＰＩＣＨ部は誤り訂正を行える可能性があることに着目したものであり、無線情報チャネルＲＩＣＨ部のデータが誤りを生じた場合はパラメータ情報チャネルＰＩＣＨ部の誤り検出を行い、誤りが無かった場合は同期バーストが受信されたとして処理を行い、誤りが生じた場合は、通信チャネルの可能性があるとして、通信チャネルのデコード処理を行う。
【００２０】
つまり、第１の本発明は、フレーム情報を格納する第１領域（ＲＩＣＨ）とパラメータ情報又は通信情報を格納する第２領域（ＰＩＣＨ／ＴＣＨ）とを有するフレームを用いた通信方式において、フレーム情報及びパラメータ情報は誤り検出可能な情報であり、自己のフレームの種別が第２領域にパラメータ情報を格納した同期バースト用又は第２領域に通信情報を格納した通信チャネル用のいずれであるかを識別する情報（無線チャネル構造識別情報Ｆ）をフレーム情報に保持しており、フレームを受信した無線局が、当該フレームの第１領域に対して誤り検出処理を実行し、第１領域に誤りを検出しなかった場合は、当該フレームの種別を当該第１領域に格納されたフレーム情報により識別し、第１領域に誤りを検出した場合は、当該フレームの第２領域に対して誤り検出処理を実行し、第２領域に誤りを検出しなかった場合は、当該フレームの種別を同期バースト用と識別し、第２領域に誤りを検出した場合は、当該フレームの種別を通信チャネル用と識別することを特徴とする通信方式である。
【００２１】
次に、通信チャネル用フレームの通信チャネルＴＣＨ部のデータ形式の識別は、パラメータ情報チャネルＰＩＣＨ中の未定義データの一部を用いて行う。
従来のパラメータ情報チャネルＰＩＣＨ部のデータは、図１７に示すように、未定義部データが２５ビット存在する。そこで、図２に示すように、この未定義部データ中の３ビットを使用して、無線情報チャネルＲＩＣＨの通信モード識別情報Ｍと同様の情報（以下、「通信モード補助情報」と記す）を送出する。これは、通常、１通話中に通信チャネルＴＣＨ部のデータ形式が変更される可能性が低いことに着目したものであり、通信チャネル用フレームに先行して送信される同期バースト用フレームにより通信モード補助情報を送出しておき、無線情報チャネルＲＩＣＨに誤りが生じた場合は本情報を利用して通信チャネルＴＣＨのデコード処理を行う。
【００２２】
つまり、第２の本発明は、上記第１の発明において、通信チャネル用のフレームは当該フレーム中の通信情報のデータ形式を識別する情報（通信モード識別情報）をフレーム情報に保持し、同期バースト用のフレームは当該フレームに後続する通信チャネル用のフレーム中の通信情報のデータ形式を識別する情報（通信モード補助情報）をパラメータ情報に保持しており、受信したフレームの種別を通信チャネル用と識別した無線局は、第１領域（ＲＩＣＨ）に誤りを検出しなかった場合は、当該フレーム中の第２領域（ＴＣＨ）に格納された通信情報のデータ形式を当該第１領域に格納されたフレーム情報により識別し、第１領域に誤りを検出した場合は、当該フレーム中の第２領域に格納された通信情報のデータ形式を当該フレームに先行して受信した同期バースト用のフレームの第２領域（ＰＩＣＨ）に格納されたパラメータ情報により識別することを特徴とする通信方式である。
【００２３】
最後に、低速制御情報チャネルＳＡＣＣＨ部の種別（１ｓｔ／２ｎｄ）の識別に関しては、低速制御情報チャネルＳＡＣＣＨの誤り訂正処理がパラメータ情報チャネルＰＩＣＨと同様に無線情報チャネルＲＩＣＨよりも強いこと、１ｓｔＳＡＣＣＨのヘッダ情報（図１１中のＭ）は上位レイヤからの制限により「１０１０００００」、「００００００００」及び「１０００００００」以外の値となることは無いことに着目したものであり、低速制御情報チャネルＳＡＣＣＨの先頭データが上記ビット値であった場合は１ｓｔＳＡＣＣＨと識別し、それ以外の場合は２ｎｄＳＡＣＣＨと識別する。なお、２ｎｄＳＡＣＣＨが上記ビット値をとる可能性も有るが、データはランダムであり、無線情報チャネルＲＩＣＨに誤りが検出され、且つ２ｎｄＳＡＣＣＨの先頭データが上記ビット値となる確率はほぼ０に近いため、誤って識別する可能性は非常に低い。
【００２４】
つまり、第３の本発明は、フレーム情報を格納する第１領域（ＲＩＣＨ）と所定のヘッダ情報を先頭位置に含む第１低速制御情報（１ｓｔＳＡＣＣＨユニット）又はヘッダ情報を含まない第２低速制御情報（２ｎｄＳＡＣＣＨユニット）を格納する第２領域（ＳＡＣＣＨ）とを有するフレームを用いた通信方式において、第１低速制御情報又は第２低速制御情報のいずれの種別を第２領域に格納しているかを識別する情報（機能チャネル識別情報Ｌ）を保持するフレーム情報を誤り検出可能に保持しており、フレームを受信した無線局が、当該フレームの第１領域に対して誤り検出処理を実行し、第１領域に誤りを検出しなかった場合は、第２領域に格納された情報の種別を当該第１領域に格納されたフレーム情報により識別し、第１領域に誤りを検出した場合は、第２領域に格納された情報の種別を前記先頭位置に所定のヘッダ情報を含むか否かにより識別することを特徴とする通信方式である。
【発明の効果】
【００２５】
本発明によると、フレームの伝送過程において無線情報チャネルＲＩＣＨに誤りが生じた場合であっても、フレームの種別や通信チャネル用フレーム中の通信チャネルＴＣＨ部のデータ形式等を識別することができ、デコード処理を行うことが可能となる。
【発明を実施するための最良の形態】
【００２６】
本発明を、一実施例に基づいて具体的に説明する。
図１は、本発明に係る無線局（無線機）１の概略的な構成を示しており、他の無線局から送信されたフレームを受信する無線部２、受信したフレームに対してデコード処理等のデータ処理を施すデータ処理部３、データ処理の結果得られた音声情報等を出力する出力部４、通信モード補助情報を記憶しておく通信モードメモリ５、等を備えている。
なお、同期バースト用のフレーム中のパラメータ情報チャネルＰＩＣＨには、フレーム送信側の無線局により、後続する通信チャネル用のフレームにおける通信チャネルＴＣＨのデータ形式を識別する通信モード補助情報が設定されている。
【００２７】
次に、フレームを受信した無線局１のデータ処理部３で行うデコード処理を、図３に示すフローチャートに従って説明する。
フレームを受信した無線局１は、シンボル及びフレーム同期を取った後、ＲＩＣＨデコード処理（ステップＳ７０１）を行い、ＲＩＣＨ情報に誤りが有ったかを確認する（ステップ７０２）。そして、ＲＩＣＨ情報に誤りが無かった場合は、ＳＡＣＣＨデコード処理（ステップＳ７０３）を実行した後、フレーム種別の判定結果に応じて（ステップＳ７０４）、同期バーストデコード処理（ステップＳ７０５）、又は、通信チャネルデコード処理（ステップＳ７０６）を実行する。なお、ＲＩＣＨデコード処理（ステップＳ７０１）、ＳＡＣＣＨデコード処理（ステップＳ７０３）、同期バーストデコード処理（ステップＳ７０５）、通信チャネルデコード処理（ステップＳ７０６）の詳細については、前述した従来技術と同じであるため説明を割愛する。
【００２８】
ＲＩＣＨデコード処理を行った結果、ＲＩＣＨ情報に誤りが有ったと判定した場合は、同期バーストデコード処理（ステップＳ１０１）を行う。
同期バーストデコード処理（ステップＳ１０１）では、図４に詳細を示すように、パラメータ情報チャネルＰＩＣＨ部のデータ（ＰＩＣＨ情報のエンコード値）に対して、データの並び替えを戻すデインタリーブ処理（ステップＳ７０５１）、エンコード時に抜き出したビット位置にダミービットを挿入するデパンクチャ処理（ステップＳ７０５２）、ビタビ復号による誤り訂正を行うビタビ復号処理（ステップＳ７０５３）を順番に行う。その後、復号されたＰＩＣＨ情報のＣＲＣをチェックするＣＲＣ復号処理を行い（ステップＳ７０５４）、ＣＲＣ誤りの有無を判定する（ステップＳ７０５５）。ＣＲＣ誤りが有る場合は“ＰＩＣＨ誤り有”を示す情報をメモリに設定し（ステップＳ７０５６）、同期バーストデコード処理を終了する。一方、ＣＲＣ誤りが無い場合は、ＰＩＣＨ情報を抜き出し（ステップＳ５０５７）、当該ＰＩＣＨ情報に設定されている通信モード補助情報を取得して通信モードメモリ５に格納し（ステップＳ１０１１）、同期バーストデコード処理を終了する。
【００２９】
同期バーストデコード処理を行った結果、パラメータ情報チャネルＰＩＣＨ部に誤りがあったかを確認し（ステップＳ１０２）、パラメータ情報チャネルＰＩＣＨに誤りが有った場合は、フレームの種別を通信チャネル用と判断し、通信チャネルデコード処理（ステップＳ１０３）を実行した後にＳＡＣＣＨデコード処理（ステップＳ１０４）を実行し、パラメータ情報チャネルＰＩＣＨに誤りが無かった場合は、フレームの種別を同期バースト用と判断し、ＳＡＣＣＨデコード処理（ステップＳ１０４）を実行する。
【００３０】
通信チャネルデコード処理（ステップＳ１０３）では、図５に詳細を示すように、通信モードメモリ５に格納されている通信モード補助情報を参照し（ステップＳ１０３１）、通信モード補助情報の値に応じた処理を行う。
通信モード補助情報が“０”（０００）の場合は、通信チャネルＴＣＨ部のデータを非音声１データとして抜き出す（ステップＳ７０６２）。通信モード補助情報が“１”（００１）の場合は、通信チャネルＴＣＨ部の前半のデータを非音声２データ、後半を音声として抜き出し（ステップＳ７０６３）、非音声２データの誤り訂正及び検出処理を行ってデータを復号する（ステップＳ７０６４）。通信モード補助情報が“２”（０１０）の場合は、通信チャネルＴＣＨ部の前半を音声、後半を非音声２データとして抜き出し（ステップＳ７０６５）、非音声２データの誤り訂正及び検出処理を行ってデータを復号する（ステップＳ７０６６）。通信モード補助情報が“３”（０１１）の場合は、通信チャネルＴＣＨ部のデータを音声データとして抜き出し処理を行う（ステップＳ７０６７）。通信モード補助情報が“４”（１００）の場合は、通信チャネルＴＣＨ部のデータを非音声２データとして抜き出し（ステップＳ７０６８）、非音声データ２の誤り訂正及び検出を行う（ステップＳ７０６９）。値がそれ以外の場合は、処理を行わず通信チャネルデコード処理を終了する。
【００３１】
ＳＡＣＣＨデコード処理（ステップＳ１０４）では、図６に詳細を示すように、低速付随制御チャネルＳＡＣＣＨ部のデータ（ＳＡＣＣＨユニットのエンコード値）に対して、データの並び替えを戻すデインタリーブ処理（ステップＳ７０３１）、エンコード時に抜き出したビット位置にダミービットを挿入するデパンクチャ処理（ステップＳ７０３２）、ビタビ復号による誤り訂正を行うビタビ復号処理（ステップＳ７０３３）、を順番に行う。その後、復号されたＳＡＣＣＨユニットのＣＲＣをチェックするＣＲＣ復号処理を行い（ステップＳ７０３４）、ＣＲＣ誤りの有無を判定する（ステップＳ７０３５）。ＣＲＣ誤りが有る場合は、ＳＡＣＣＨデコード処理を終了する。一方、ＣＲＣ誤りが無い場合は、ＳＡＣＣＨユニットの先頭から８ビットを検証し（ステップＳ１０４１）、「１０１０００００」、「００００００００」及び「１０００００００」であった場合は１ｓｔと判定してヘッダ情報とＳＡＣＣＨ情報とを抜き出し（ステップＳ１０４２）、それ以外の場合は２ｎｄと判定してＳＡＣＣＨ情報を抜き出し（ステップＳ１０４３）、ＳＡＣＣＨデコード処理を終了する。
【００３２】
以上のように、フレームの伝送過程において無線情報チャネルＲＩＣＨに誤りが生じた場合であっても、フレームの種別（同期バースト用／通信チャネル用）、通信チャネル用フレーム中の通信チャネルＴＣＨ部のデータ形式、低速付随制御チャネルＳＡＣＣＨの種別（１ｓｔ／２ｎｄ）を識別できるため、その識別結果に基づいて適切なデコード処理を選択して実行することができる。
【００３３】
なお、本発明に係る無線機１の備えたデータ処理部３は、専用のハードウェア回路により実現しているが、例えば、上記デコード処理を行う機能をコンピュータに実現させるためのプログラムをＨＤＤ（Hard Disk Drive）やＲＯＭ（Read Only Memory）に保持しておき、当該プログラムをＣＰＵ（Central Processing Unit）等により実行させることで構成するようにしてもよい。
【図面の簡単な説明】
【００３４】
【図１】本発明に係る無線機の構成の一例を示す図である。
【図２】本発明に係るＰＩＣＨの構成の一例を示す図である。
【図３】本発明に係るデコード処理の一例を示した図である。
【図４】本発明に係るＲＩＣＨに誤りが有る場合の同期バーストデコード処理の一例を示す図である。
【図５】本発明に係る提案法によるＲＩＣＨに誤りが有る場合の通信チャネルデコード処理の一例を示す図である。
【図６】本発明に係るＲＩＣＨに誤りが有る場合のＳＡＣＣＨデコード処理の一例を示す図である。
【図７】通信プロトコルの一例を示す図である。
【図８】同期バースト及び通信チャネルのフレーム構成の一例を示す図である。
【図９】ＲＩＣＨ情報の構成の一例を示す図である。
【図１０】ＲＩＣＨのエンコード処理の一例を示す図である。
【図１１】ＳＡＣＣＨのエンコード処理の一例を示す図である。
【図１２】従来のデコード処理の一例を示す図である。
【図１３】従来のＲＩＣＨのデコード処理の一例を示す図である。
【図１４】従来のＳＡＣＣＨデコード処理の一例を示す図である。
【図１５】従来の同期バーストデコード処理の一例を示す図である。
【図１６】従来の通信チャネルデコード処理の一例を示す図である。
【図１７】従来のＰＩＣＨの構成の一例を示す図である。
【符号の説明】
【００３５】
１：無線局（無線機）、
２：無線部、
３：データ処理部、
４：出力部、
５：通信モードメモリ
【図１】
2008148116.tif 000003
【図２】
2008148116.tif 000004
【図３】
2008148116.tif 000005
【図４】
2008148116.tif 000006
【図５】
2008148116.tif 000007
【図６】
2008148116.tif 000008
【図７】
2008148116.tif 000009
【図８】
2008148116.tif 000010
【図９】
2008148116.tif 000011
【図１０】
2008148116.tif 000012
【図１１】
2008148116.tif 000013
【図１２】
2008148116.tif 000014
【図１３】
2008148116.tif 000015
【図１４】
2008148116.tif 000016
【図１５】
2008148116.tif 000017
【図１６】
2008148116.tif 000018
【図１７】
2008148116.tif 000019